(57)【要約】【課題】駆動部材とモータと位相検出手段を含む一体構成のユニットを設け、このユニットに位相検出手段による情報を予め搭載し、モータおよびギヤ、シャフトのセットでの位相情報を容易に検出して、各像担持体の位相ズレによって生じる色ズレを容易に防止する画像形成装置を提供する。【解決手段】複数の像担持体１ａ〜１ｄと前記像担持体１ａ〜１ｄを駆動するための駆動部材２と前記像担持体１ａ〜１ｄの駆動源となるモータ４と、前記駆動部材２の位相検出手段５を有し、かつ前記駆動部材と２前記モータ４と前記位相検出手段５を少なくとも一体に構成するユニットである画像形成装置において、前記ユニットに位相検出手段５による情報が予め搭載されている。【選択図】        図２
2005043581.tif 000002
【特許請求の範囲】
【請求項１】
複数の像担持体と、前記像担持体を駆動するための駆動部材と、前記像担持体の駆動源となるモータと、前記駆動部材の位相検出手段を有し、かつ前記駆動部材と前記モータと前記位相検出手段は少なくとも一体に構成されるユニットである画像形成装置において、前記ユニットに位相検出手段による情報が予め搭載されていることを特徴とする画像形成装置。
【請求項２】
前記位相検出手段による情報が自動読み取り可能であることを特徴とする請求項１記載の画像形成装置。
【請求項３】
前記自動読み取りがバーコードラベルの読み取りによることを特徴とする請求項２記載の画像形成装置。
【請求項４】
前記位相検出手段による情報は画像形成装置本体へ数値として入力可能であることを特徴とする請求項１記載の画像形成装置。
【発明の詳細な説明】
【０００１】
【発明の属する技術分野】
本発明は、複写機、ファクシミリ、プリンタ等の画像形成装置に関するものである。
【０００２】
【従来の技術】
複数の像但持体を有する画像形成装置、例えばカラープリンタ等では、各像但持体には駆動部材、例えばギヤおよびシャフトの製造誤差、組付け精度誤差等による影響で１回転周期の回転変動が生じる。
【０００３】
【発明が解決しようとする課題】
従来技術ではこれを防止するために、各像但持体１回転に１回出力するフォトインタラプタを設け位相情報を得て複数の像担持体の位相を合わせて位相ズレで生じる色ズレを防止させている。
しかしながら、市場で何らかのトラブルにより、像担持体を駆動させるモータやギヤ、シャフトといった駆動部材を交換したりする場合、正確な位相情報が得られないため、位相ズレで生じる色ズレ等が正確に調整できない等の不具合がある。また、マシン組み立ての工程中でこれを調整するのも容易ではない。
そこで本発明の目的は、上記の問題点を解決するために、駆動部材とモータと位相検出手段を含む一体構成のユニットを設け、このユニットに位相検出手段による情報を予め搭載し、モータおよびギヤ、シャフトのセットでの位相情報を容易に検出して、各像担持体の位相ズレによって生じる色ズレを容易に防止する画像形成装置を提供することにある。
【０００４】
【課題を解決するための手段】
前記の課題を解決するために、請求項１記載の発明では、複数の像担持体と前記像担持体を駆動するための駆動部材と前記像担持体の駆動源となるモータと、前記駆動部材の位相検出手段を有し、かつ前記駆動部材と前記モータと前記位相検出手段は少なくとも一体に構成するユニットである画像形成装置において、前記ユニットに位相検出手段による情報が予め搭載されている画像形成装置を最も主要な特徴とする。
請求項２記載の発明では、前記位相検出手段による情報が自動読み取り可能である請求項１記載の画像形成装置を主要な特徴とする。
請求項３記載の発明では、前記自動読み取りがバーコードラベルの読み取りによる請求項２記載の画像形成装置を主要な特徴とする。
請求項４記載の発明では、自動読み取り手段がバーコードラベルを読み取る請求項２記載の画像形成装置を主要な特徴とする。
【０００５】
【発明の実施の形態】
以下、図面により本発明の実施の形態を詳細に説明する。図１は本発明による画像形成装置であるプリンタの要部の実施の形態を示す概略図である。図２は図１中の１つのドラム駆動ユニットを示す部分断面図である。
本実施の形態は、それぞれ、黒、マゼンタ、シアン、イエロー用である４個の感光体ドラム１ａ〜１ｄを有するタンデム方式の画像形成装置である。それぞれの感光体ドラム１ａ〜１ｄは、４個のモータ４ａ〜４ｄを駆動源としてモータ出力軸ギヤ３ａ〜３ｄを駆動する。このモータ出力軸ギヤ３ａ〜３ｄはこれに噛み合う大口径ギヤ２ａ〜２ｄにより駆動伝達され、感光体ドラム１ａ〜１ｄを駆動する。
また、大口径ギヤ２ａ〜２ｄの１回転に１度の出力信号を検出するためにフォトインタラプタ５ａ〜５ｄを搭載する。このとき、大口径ギヤ２ａ〜２ｄのリブの１部に切り欠き（図示せず）が設けられる。フォトインタラプタを構成する発光素子と受光素子は、切欠きの通過を検出するように配置される。
図２のドラム駆動ユニットを示す部分断面図において、モータ４、モータ出力軸ギヤ３、大口径ギヤ２、およびこの大口径ギヤ２の１回転に１度の出力信号を検出するためのフォトインタラプタ５が示してある。
複数の像担持体（感光体ドラム）１ａ〜１ｄと、前記像担持体１ａ〜１ｄを駆動するための駆動部材（大口径ギヤ）２ａ〜２ｄと、前記像担持体１ａ〜１ｄの駆動源となるモータ４ａ〜４ｄと、前記駆動部材２ａ〜２ｄの位相検出手段（フォトインタラプタ）５ａ〜５ｄを有している。
この場合に、前記駆動部材２ａ〜２ｄと前記モータ４ａ〜４ｄと前記位相検出手段５ａ〜５ｄは、例えば同一構造体に組み付けられている。
【０００６】
図３（ａ）はセンサの出力を示す特性図である。図３（ｂ）は専用ジグ等で測定した速度変動を示す波形図である。センサ出力は図３（ａ）のようになる。一方、モータユニットは、単独で、シャフト７の先端にエンコーダ１１を搭載した専用ジグ等を備えており、この専用ジグで測定した速度変動は、図３（ｂ）のようになる。
位相検出手段５による情報は自動読み取り可能であり、その位相検出手段５はバーコードラベル等によることによって、マシン組み立てラインにて、バーコードラベル等を自動的に読み取るだけで、正確な位相情報をマシン本体に提供することができる。
位相検出手段５による情報は、画像形成装置本体への数値入力であることによって、市場でサービスマンが像担持体駆動ユニットを交換するきに、マシン本体の操作部から位相情報を数値入力することによって、正確な位相情報をマシン本体に提供することができる。
ここで、像担持体駆動ユニットに位相検出手段５による情報を予め搭載する。この実施の形態においては、センサ出力が切り欠き部を通過した時間とエンコーダ出力が変動のピークを示した時間差ｔを予め測定しておいて、像担持体駆動ユニットとしての位相情報としてユニットのどこかに搭載しておく。
また、ある所定回数のデータを平均化したものを位相情報として検出しておけば、さらにデータの精度は向上する。
この時間差ｔを何らかの自動検出手段により読み取り可能であることとする。この自動検出手段を、例えば図２のバーコードラベル９のようにユニットに添付してある。
位相検出手段５による数字による情報、例えば前述した時間差情報または、角度差情報を数値にて記録しておいて、ユニット本体のどこかに添付しておく。この情報を、例えばユニットを交換するときにマシン本体操作部より数値入力可能とする構成を取る。
本実施の形態においては、１個の感光体ドラムと駆動部材およびモータをユニット化した例であるが、複数のステーションが一体ユニットであっても本発明を適用することができる。
【０００７】
【発明の効果】
以上説明したように、請求項１によれば、ユニットに位相検出手段による情報を予め搭載し、モータおよびギヤ、シャフトのセットでの位相情報を容易に検出することによって、各像担持体の位相ズレによって生じる色ズレを容易に防止することができる。
請求項２によれば、位相検出手段による情報は自動読み取り可能であり、その位相検出手段はバーコードラベル等によることによって、マシン組み立てラインにて、バーコードラベル等の自動読み取り手段を読み取るだけで、正確な位相情報をマシン本体に提供することを可能とする。
請求項３によれば、位相検出手段による情報は自動読み取り可能であり、その位相検出手段はバーコードラベル等によることによって、マシン組み立てラインにて、バーコードラベル等を自動的に読み取るだけで、正確な位相情報をマシン本体に提供することを可能とする。
請求項４によれば、位相検出手段による情報は、画像形成装置本体への数値入力であることによって、市場でサ―ビスマンが像担持体駆動ユニットを交換するきに、マシン本体の操作部から位相情報を数値入力することによって、正確な位相情報をマシン本体に提供する効果がある。
【図面の簡単な説明】
【図１】本発明による画像形成装置であるプリンタの実施の形態を示す概略図。
【図２】図１中の１つのドラム駆動ユニットを示す部分断面図。
【図３】（ａ）はセンサの出力を示す特性図、（ｂ）は専用ジグ等で測定した速度変動を示す波形図。
【符号の説明】
１ａ  感光体ドラム
２    駆動部材（大口径ギヤ）
４    モータ
５    位相検出手段（フォトインタラプタ）
【図１】
2005043581.tif 000003
【図２】
2005043581.tif 000004
【図３】
2005043581.tif 000005